(57)【要約】【課題】入浴者が楽な姿勢で泡式入浴でき、入浴時に開放感を味わうことができ、かつ入浴に手間も取らない泡式入浴用浴槽を提供する。【解決手段】入浴者Ｍを収納し、泡内に温かい空気を含んだ温泡が内部に供給される泡式入浴用浴槽１０である。この泡式入浴用浴槽１０は、略水平に延在する底面１０ａと、底面１０ａの周縁から上方に立ち上がって上縁が開口１１を形成し、温泡を底面１０ａとともに収容可能な側面１０ｂと、入浴者Ｍが脛Ｌを下方に延在させつつ底面１０ａに足底Ｓを付けて腰掛け得る台座部１４とからなる。【選択図】図２
2005034494.tif 000002
【特許請求の範囲】
【請求項１】
入浴者を収納し、泡内に温かい空気を含んだ温泡が内部に供給される泡式入浴用浴槽において、
略水平に延在する底面と、該底面の周縁から上方に立ち上がって上縁が開口を形成し、前記温泡を前記底面とともに収容可能な側面と、該入浴者が脛を下方に延在させつつ該底面に足底を付けて腰掛け得る台座部とからなることを特徴とする泡式入浴用浴槽。
【請求項２】
前記側面の一部は、前記台座部と、該台座部に腰掛けた前記入浴者の背中と当接可能な背もたれ部とを兼ねていることを特徴とする請求項１記載の泡式入浴用浴槽。
【請求項３】
前記側面の一部は、水平方向に揺動して前記入浴者の出入りを可能とする扉を兼ねていることを特徴とする請求項１又は２記載の泡式入浴用浴槽。
【請求項４】
上方から見て円形をなしていることを特徴とする請求項１乃至３のいずれか１項記載の泡式入浴用浴槽。
【請求項５】
前記温泡を供給可能な温泡供給手段が設けられていることを特徴とする請求項１乃至４のいずれか１項記載の泡式入浴用浴槽。
【請求項６】
前記台座部内に前記温泡供給手段が設けられていることを特徴とする請求項５記載の泡式入浴用浴槽。
【請求項７】
キャスターによって移動可能に構成されていることを特徴とする請求項５又は６記載の泡式入浴用浴槽。
【発明の詳細な説明】
【技術分野】
【０００１】
本発明は泡式入浴用浴槽に関する。
【背景技術】
【０００２】
一般的な浴槽は、入浴者を収納し、温水が内部に供給されるものである。より詳細には、この浴槽は、略水平に延在する底面と、この底面の周縁から上方に立ち上がって上縁が開口を形成し、温水を底面とともに収容可能な側面とからなる。この浴槽内に入浴者が入る場合、その入浴者は、臀部を底面に下ろし、脛をほぼ水平に延在させつつ、首から下の体を温水に浸すこととなる。こうして、その入浴者は、温水によって体を温めながら体を清潔に保つことが可能になる。
【０００３】
しかし、上記一般的な浴槽では、温水の使用量が多いという欠点がある。また、このような浴槽においては、例えば老人等では温水にほぼ全身を浸すことにより心臓への負担が大きいという欠点もある。このため、このような浴槽は、自らの体が温水に浸かることを制限された老人や身障者等には、利用され難い。
【０００４】
このため、特許文献１〜３開示の泡式入浴を行うことが提案されている。この泡式入浴に用いられる泡式入浴用浴槽は、入浴者を収納し、泡内に温かい空気を含んだ温泡が内部に供給されるものである。
【０００５】
より詳細には、特許文献１、２開示の泡式入浴用浴槽は、上記一般的な浴槽と同様、略水平に延在する底面と、この底面の周縁から上方に立ち上がって上縁が開口を形成し、温泡を底面とともに収容可能な側面とからなる。この泡式入浴用浴槽内に入浴者が入る場合も、その入浴者は、臀部を底面に下ろし、脛をほぼ水平に延在させつつ、首から下の体を温泡に浸すこととなる。
【０００６】
また、特許文献３開示の泡式入浴用浴槽は、略水平に延在する底面と、底面の周縁から上方に立ち上がって温泡を底面とともに収容可能な側面と、入浴者が脛を下方に延在させつつ底面に足底を付けて腰掛け得る台座部とからなる。この泡式入浴用浴槽内に入浴者が入る場合、その入浴者は、台座部により、脛を下方に延在させつつ底面に足底を付けて腰掛けることができ、この状態で首から下の体を温泡に浸すこととなる。
【０００７】
これら泡式入浴用浴槽を用いて泡式入浴を行えば、その入浴者は、温泡によって体を温めながら体を清潔に保つことが可能になる。また、この泡式入浴用浴槽では、温水をさほど使用しないため、優れた節水効果が得られる。さらに、この泡式入浴用浴槽においては、温泡が心臓等に対してほとんど負担にならず、健康上の制限も回避することができる。このため、このような泡式入浴用浴槽は、自らの体がお湯に浸かることを制限された老人や身障者等の入浴者に利用されている。
【０００８】
【特許文献１】特開２０００−８３８５１号公報
【特許文献２】特開２００２−７８７７０号公報
【特許文献３】特開２００２−８５５１２号公報
【発明の開示】
【発明が解決しようとする課題】
【０００９】
しかし、上記従来の泡式入浴用浴槽のうち、特許文献１、２開示のものでは、入浴者は、臀部を底面に下ろし、脛をほぼ水平に延在させなければならない。泡式入浴の場合は、入浴者に浮力がほとんど作用しないため、入浴者はそのような姿勢が苦痛に感じるようである。特に、腰の悪い老人や身障者等にとってはこの傾向が大きい。
【００１０】
この点、特許文献３開示の泡式入浴用浴槽では、入浴者は、脛を下方に延在させつつ底面に足底を付けて腰掛けることができることから、楽に泡式入浴を行うことができる。しかしながら、この泡式入浴用浴槽は、底面の周縁から上方に立ち上がる側面が入浴者の頭部以外を密閉してしまっており、入浴者が圧迫感や窮屈感を感じてしまう。また、側面で入浴者の首を拘束する必要があることから、老人や身障者等に限らず、健常者等であっても、入浴に手間取ってしまうこととなる。
【００１１】
本発明は、上記従来の実情に鑑みてなされたものであって、入浴者が楽な姿勢で泡式入浴でき、入浴時に開放感を味わうことができ、かつ入浴に手間も取らない泡式入浴用浴槽を提供することを解決すべき課題としている。
【課題を解決するための手段】
【００１２】
本発明の泡式入浴用浴槽は、入浴者を収納し、泡内に温かい空気を含んだ温泡が内部に供給される泡式入浴用浴槽において、
略水平に延在する底面と、該底面の周縁から上方に立ち上がって上縁が開口を形成し、前記温泡を前記底面とともに収容可能な側面と、該入浴者が脛を下方に延在させつつ該底面に足底を付けて腰掛け得る台座部とからなることを特徴とする。
【００１３】
本発明の泡式入浴用浴槽では、入浴者は、台座部により、脛を下方に延在させつつ底面に足底を付けて腰掛けることができることから、楽に泡式入浴を行うことができる。また、底面の周縁から上方に立ち上がった側面の上縁が開口を形成しているため、入浴者の周りが開放されて圧迫感や窮屈感を感じず、開放感を味わうことができる。さらに、側面で入浴者の首を拘束する必要がないことから、入浴に手間を要しない。
【００１４】
したがって、本発明の泡式入浴用浴槽によれば、入浴者が楽な姿勢で泡式入浴でき、入浴時に開放感を味わうことができ、かつ入浴に手間も取らない。
【００１５】
本発明の泡式入浴用浴槽では、側面の一部は、台座部と、台座部に腰掛けた入浴者の背中と当接可能な背もたれ部とを兼ねていることが好ましい。こうであれば、底面から台座部だけが上方に突出するものでなくなるため、入浴者が台座部に躓くことがなく、入浴者の安全が確保される。また、台座部に腰掛けた入浴者が側面の一部である背もたれ部にもたれかかることができ、入浴者の姿勢がより楽になる。
【００１６】
本発明の泡式入浴用浴槽では、側面の一部は、水平方向に揺動して入浴者の出入りを可能とする扉を兼ねていることが好ましい。こうであれば、入浴者が泡式入浴用浴槽の側面の上縁を跨いで出入りする必要がなく、扉によって出入りすることができる。これにより入浴がより楽になり、かつ安全でもある。また、側面によって扉が構成されていることから、扉を閉めれば、泡式入浴用浴槽の内部に供給された温泡は内部に維持される。
【００１７】
本発明の泡式入浴用浴槽は、上方から見て円形をなしていることが好ましい。こうであれば、泡式入浴用浴槽の全ての周囲から入浴者までの距離を略等しくすることができる。このため、入浴者が老人や身障者等である場合であっても、その入浴者の介護を行い易い。
【００１８】
本発明の泡式入浴用浴槽は、温泡を供給可能な温泡供給手段が設けられていることが好ましい。泡式入浴用浴槽が温泡供給手段を備えておれば、温泡供給手段を別に設ける必要がなく、泡式入浴がより簡便なものとなる。この場合、台座部内に温泡供給手段を設けることが好ましい。台座部は入浴者が腰掛けるために上方に盛り上がっており、この下にある程度のスペースを確保することができることから、そのスペースに温泡供給手段を設けることにより、全体の大きさを小型化することができる。
【００１９】
また、本発明の泡式入浴用浴槽は、キャスターによって移動可能に構成されていることが好ましい。このような泡式入浴用浴槽であれば、屋外等といった浴室以外に泡式入浴用浴槽を移動させることができる。このため、例えば、災害時や非常時等に、仮設の入浴施設としてこれを利用することができる。また、ベランダや庭等に移動させることにより、簡易の露天風呂としてこれを利用することもでき、この場合にはさらなる開放感を入浴者に付与することができる。
【００２０】
泡式入浴用浴槽は、ＦＲＰやビニール等の樹脂製のものの他、陶磁器製、木製、金属製、ガラス製のもの等とされ得る。樹脂製の泡式入浴用浴槽であれば、軽量なため、移動させる場合に好ましい。
【００２１】
台座部の上面は、泡式入浴用浴槽の中心に近い方の縁から中心から離れる方向に向かって傾斜していることが好ましい。また、泡式入浴用浴槽が上方から見て円形をなしている場合、泡式入浴用浴槽の中心から離れた部分の円弧は、その円弧の中心から円弧の両端に向けて傾斜していることが好ましい。そして、泡式入浴用浴槽が上方から見て円形をなしている場合、これら台座部の上面における泡式入浴用浴槽の中心に近い方の縁と、泡式入浴用浴槽の中心から離れた部分の円弧の中心と、その円弧の両端とが滑らかな曲面で結ばれていることが好ましい。このような台座部の形状によって、座った入浴者が台座部から滑り落ちることを防げると同時に、水が台座部の上面に留まることなく、効率よく流れるため、入浴時の快適性と安全性とが得られる。
【００２２】
また、側面の上縁は入浴者が台座部に腰掛けた状態で腕を乗せ得る高さであることが好ましい。この姿勢が入浴者にとって楽だからである。また、その上縁は入浴者が手で握れるような形状であることが好ましい。その部分を握りながら入浴者が出入りした方が安全だからである。
【発明を実施するための最良の形態】
【００２３】
以下、本発明の泡式入浴用浴槽を具体化した実施形態を図面を参照しつつ説明する。
【００２４】
図１に示すように、実施形態の泡式入浴用浴槽１０は底有の略円筒形状からなるＦＲＰ製のものである。この泡式入浴用浴槽１０は、略水平に延在する底面１０ａを有し、底面１０ａの周縁から上方に立ち上がった側面１０ｂを有している。そして、側面１０ｂの上縁には開口１１が形成されている。
【００２５】
側面１０ｂには扉１２が形成されており、扉１２は水平方向に揺動可能になっている。こうして、その側面１０ｂの一部が扉１２を兼ねていることにより、入浴者が扉１２から出入りできるようになっている。側面１０ｂと扉１２との境界は図示しないシール部材によって気密性が保持されるようになっているため、泡式入浴用浴槽１０内に蓄えられる温泡は漏れない。
【００２６】
後側の側面１０ｂの下方には台座部１４が形成されている。台座部１４は底面１０ａ及び側面１０ｂに接している。台座部１４の上面１４ａは、泡式入浴用浴槽１０の中心に近い方の縁１４ｂから中心から離れる方向に向かって傾斜している。また、泡式入浴用浴槽１０の中心から離れた部分の円弧１４ｃは、その円弧１４ｃの中心１４１ｃから円弧１４ｃの両端１４２ｃに向けて傾斜している。そして、これら台座部１４の上面１４ａにおける泡式入浴用浴槽１０の中心に近い方の縁１４ｂと、泡式入浴用浴槽１０の中心から離れた部分の円弧１４ｃの中心１４１ｃと、その円弧１４ｃの両端１４２ｃとが滑らかな曲面で結ばれている。側面１０ｂの上縁は入浴者Ｍが台座部１４に腰掛けた状態で腕Ａを乗せ得る高さである。また、その上縁は入浴者Ｍが手で握れるような先細り形状になっている。
【００２７】
底面１０ａは底板１６によって構成されている。底板１６には温泡を下方に流すことが可能な複数の排出孔１６ａが形成されている。また、図２に示すように、底板１６の裏面側には排出口１７が形成されており、排出口１７は排出孔１６ａから流れ出た温泡を泡式入浴用浴槽１０の外に排出できるようになっている。
【００２８】
また、図１に示すように、後側の側面１０ｂの上方には、背もたれ部１８が備えられている。背もたれ部１８は、側面１０ｂから開口１１の上方に向かって突出した後、内部に垂れ下がっている。図１及び２に示すように、背もたれ部１８の前端面１８ａは側面１０ｂから前方に隔設されている。そして、背もたれ部１８の前端面１８ａの裏側において、側面１０ｂには温泡吐出口１９が開口されている。こうして、台座部１４と背もたれ部１８とがその側面１０ｂの一部を兼ねていることにより、台座部１４に腰掛けた入浴者Ｍの背中Ｂが背もたれ部１８に当接できるようになっている。
【００２９】
図２に示すように、台座部１８の内部には収納室２０が形成されており、収納室２０内にはポンプ２２及びタンク２４が収納されている。ポンプ２２は図示しない空気供給管を介してタンク２４に接続しており、タンク２４にはホース２６が接続されている。ホース２６は側面１０ｂの外側を通って、温泡吐出口１９に接続されている。ポンプ２２は、図示しない外部電源に接続されたり、バッテリ等の内部電源に接続されたりしている。また、タンク２４内には温水と洗浄剤とが蓄えられ、内部において温水及び洗浄剤を適度に混合した温水洗浄溶液が調製されるようになっている。ポンプ２２、タンク２４及びホース２６が温泡供給手段である。
【００３０】
後側の下端にはキャスター３０が取り付けられている。また、前側の下端にはストック３４が取り付けられている。さらに、後側の上端には取手３２が取り付けられている。
【００３１】
以上のように構成された泡式入浴用浴槽１０では、入浴者Ｍは、扉１２を開いて内部に入り、台座部１４により脛Ｌを下方に延在させつつ底面１０ａに足底Ｓを付けて腰掛けることが可能である。そして、扉１２を閉める。この後、ポンプ２２によってタンク２４内に圧縮空気が供給される。タンク２４内では、温水洗浄溶液が調製されているため、圧縮空気によって温水洗浄溶液を温泡にすることができる。そして、タンク内の温泡はホース２６を経て温泡吐出口１９へ送られる。こうして、温泡吐出口１９から突出した温泡が泡式入浴用浴槽１０内に蓄えられることとなる。こうして、入浴者Ｍは楽に泡式入浴を行うことができる。また、底面１０ａの周縁から上方に立ち上がった側面１０ｂの上縁が開口１１を形成しているため、入浴者Ｍの周りが開放されて圧迫感や窮屈感を感じず、開放感を味わうことができる。さらに、側面１０ｂで入浴者Ｍの首を拘束する必要がないことから、入浴に手間を要しない。泡式入浴を終えれば、排出口１７を開いて内部に溜まった温泡を排出孔１６ａ及び排出口１７から外部に排出する。そして、入浴者Ｍは扉１２を開いて外に出る。
【００３２】
この間、台座部１４の上面１４ａが縁１４ｂから円弧１４ｃに向かって傾斜し、円弧１４ｃが１４１ｃ中心から両端１４２ｃに向けて傾斜し、これらが滑らかな曲面で結ばれているため、座った入浴者Ｍが台座部１４から滑り落ちることを防げると同時に、水が台座部１４の上面１４ａに留まることなく、効率よく流れるため、入浴時の快適性と安全性とが得られる。
【００３３】
また、入浴者Ｍが台座部１４に腰掛けた状態で腕Ａを乗せ得る高さに側面１０ｂの上縁が位置しているため、入浴者Ｍは楽な姿勢を保つことができる。また、その上縁が先細り形状になっているため、入浴者Ｍはその上縁を手で握りながら安全に出入りすることができる。
【００３４】
したがって、この泡式入浴用浴槽１０によれば、入浴者Ｍが楽な姿勢で泡式入浴でき、入浴時に開放感を味わうことができ、かつ入浴に手間も取らない。
【００３５】
また、この泡式入浴用浴槽１０では、側面１０ｂの一部が台座部１４と背もたれ部１８とを兼ねているため、底面１０ａから台座部１４だけが上方に突出するものでなく、入浴者Ｍが台座部１４に躓くことがなく、入浴者Ｍの安全が確保される。また、台座部１４に腰掛けた入浴者Ｍが側面１０ｂの一部である背もたれ部１８にもたれかかることができ、入浴者Ｍの姿勢がより楽になる。
【００３６】
さらに、この泡式入浴用浴槽１０では、側面１０ｂの一部が扉１２を兼ねているため、入浴者Ｍが泡式入浴用浴槽１０の側面１０ｂの上縁を跨いで出入りする必要がなく、扉１２によって出入りすることができることから、入浴がより楽になり、かつ安全でもある。また、側面１０ｂによって扉１２が構成されていることから、扉１２を閉めれば、泡式入浴用浴槽１０の内部に供給された温泡は内部に維持される。
【００３７】
また、この泡式入浴用浴槽１０は、上方から見て円形をなしているため、泡式入浴用浴槽１０の全ての周囲から入浴者Ｍまでの距離を略等しくすることができ、入浴者Ｍが老人や身障者等である場合であっても、その入浴者Ｍの介護を行い易い。
【００３８】
さらに、この泡式入浴用浴槽１０は、台座部１４内にポンプ２２及びタンク２４が設けられ、タンク２４がホース２６によって温泡吐出口１９に接続されているため、ポンプ２２及びタンク２４を別に設ける必要がなく、泡式入浴が簡便である。特に、この泡式入浴用浴槽１０は、台座部１４内にポンプ２２及びタンク２４が設けられているため、台座部１４の下方に存在するスペースを有効活用しており、全体の大きさが小型化されている。
【００３９】
また、この泡式入浴用浴槽１０は、ＦＲＰによって形成され、取手３２を押しつつキャスター３０によって移動可能に構成されているものである。このため、屋外等といった浴室以外にこれを容易に移動させることができる。このため、例えば、災害時や非常時等に、この泡式入浴用浴槽１０を仮設の入浴施設として利用することができる。また、ベランダや庭等にこの泡式入浴用浴槽１０を移動させることにより、これを簡易の露天風呂として利用することもでき、この場合にはさらなる開放感を入浴者Ｍに付与することができる。
【産業上の利用可能性】
【００４０】
本発明は泡式入浴用浴槽に利用可能である。
【図面の簡単な説明】
【００４１】
【図１】実施形態の泡式入浴用浴槽の正面斜視図である。
【図２】実施形態の泡式入浴用浴槽の縦断面図である。
【符号の説明】
【００４２】
Ｍ…入浴者
１０…泡式入浴用浴槽
１０ａ…底面
１１…開口
１０ｂ…側面
Ｌ…脛
Ｓ…足底
１４…台座部
１８…背もたれ部
１２…扉
２２、２４、２６…温泡供給手段（２２…ポンプ、２４…タンク、２６…ホース）
３０…キャスター
【図１】
2005034494.tif 000003
【図２】
2005034494.tif 000004